(57)【要約】【課題】ベルト部の長さを無段階に調整することができると共に、伸縮構造を取り付けたことによるファッション性の低下を防止するようにしたズボンを提供する。【解決手段】ズボンのベルト部１４の伸縮構造１８が、前身頃から連続して形成される外側ベルト部２２と、外側ベルト部２２に共布２６を介して接続される第１の平ゴム３０と、後身頃に接続され、共布２６および第１の平ゴム３０を被覆する袋部３４と、前身頃から連続して形成される内側ベルト部４２と、内側ベルト部４２に接続される第２の平ゴム４６とを備えると共に、第１の平ゴム３０の端部３０ａを袋部３４の内部、正確には袋部３４の内側の布地３４ａに接続する一方、第２の平ゴム４６の端部４６ａを外側ベルト部２２の内側に接続する。【選択図】図４
0003112835.tif 000002
【実用新案登録請求の範囲】
【請求項１】
前身頃と後身頃の上端に接続され、少なくとも伸縮構造を有するベルト部を備えるズボンにおいて、前記伸縮構造が、前記前身頃から連続して形成される外側ベルト部と、前記外側ベルト部に共布を介して接続される第１の弾性部材と、前記後身頃に接続され、前記共布および前記第１の弾性部材を被覆する袋部と、前記前身頃から連続して形成され、前記外側ベルト部の内側に配置される内側ベルト部と、前記内側ベルト部に接続される第２の弾性部材とを備えると共に、前記第１の弾性部材の端部が前記袋部の内部に接続される一方、前記第２の弾性部材の端部が前記外側ベルト部の内側に接続されるように構成したことを特徴とするズボン。
【請求項２】
前記第２の弾性部材が、前記内側ベルト部の内部に被覆されるように構成したことを特徴とする請求項１記載のズボン。
【請求項３】
前記伸縮構造が、前記前身頃の左右にそれぞれ形成されるように構成したことを特徴とする請求項１または２記載のズボン。
【請求項４】
前記第１および第２の弾性部材が、平ゴムであることを特徴とする請求項１から３のいずれかに記載のズボン。
【考案の詳細な説明】
【技術分野】
【０００１】
この考案は、ズボンに関し、より詳しくは、前身頃と後身頃の上端に接続され、少なくとも伸縮構造を有するベルト部を備えたズボンに関する。
【背景技術】
【０００２】
従来より、ベルト部に伸縮構造を設け、着用者のウエストサイズが増減したとき、その伸縮構造を伸縮させてベルト部の長さを無段階に調整できるようにしたズボン（アジャスターズボン）が種々提案されている（例えば、特許文献１参照）。
【特許文献１】実開昭５６−１５７１４号公報
【考案の開示】
【考案が解決しようとする課題】
【０００３】
しかしながら、特許文献１に記載される技術にあっては、前身頃と後身頃が縫合される部位の上部付近を切り欠き、そこにＶ字状の弾性部材からなる伸縮構造を取り付けるように構成しているため、着用時において弾性部材が露出することとなり、美観上の問題、即ち、ファッション性が低下するという不都合があった。
【０００４】
従って、この考案の目的は上記した課題を解決することにあり、ベルト部の長さを無段階に調整することができると共に、伸縮構造を取り付けたことによるファッション性の低下を防止するようにしたズボンを提供することにある。
【課題を解決するための手段】
【０００５】
上記の課題を解決するために、請求項１にあっては、前身頃と後身頃の上端に接続され、少なくとも伸縮構造を有するベルト部を備えるズボンにおいて、前記伸縮構造が、前記前身頃から連続して形成される外側ベルト部と、前記外側ベルト部に共布を介して接続される第１の弾性部材と、前記後身頃に接続され、前記共布および前記第１の弾性部材を被覆する袋部と、前記前身頃から連続して形成され、前記外側ベルト部の内側に配置される内側ベルト部と、前記内側ベルト部に接続される第２の弾性部材とを備えると共に、前記第１の弾性部材の端部が前記袋部の内部に接続される一方、前記第２の弾性部材の端部が前記外側ベルト部の内側に接続されるように構成した。
【０００６】
また、請求項２に係るズボンにあっては、前記第２の弾性部材が、前記内側ベルト部の内部に被覆されるように構成した。
【０００７】
また、請求項３に係るズボンにあっては、前記伸縮構造が、前記前身頃の左右にそれぞれ形成されるように構成した。
【０００８】
また、請求項４に係るズボンにあっては、前記第１および第２の弾性部材が、平ゴムであるように構成した。
【考案の効果】
【０００９】
請求項１に係るズボンにあっては、ベルト部の伸縮構造が、前身頃から連続して形成される外側ベルト部と、外側ベルト部に共布を介して接続される第１の弾性部材と、後身頃に接続され、共布および第１の弾性部材を被覆する袋部と、前身頃から連続して形成され、外側ベルト部の内側に配置される内側ベルト部と、内側ベルト部に接続される第２の弾性部材とを備えると共に、第１の弾性部材の端部が袋部の内部に接続される一方、第２の弾性部材の端部が外側ベルト部の内側に接続されるように構成したので、着用者のウエストサイズが増減したときは、伸縮構造の第１の弾性部材および第２の弾性部材を伸縮させることで、ベルト部の長さ（ウエストライン）を無段階に調整することができる。また、伸縮構造が伸長、正確には、第１の弾性部材が伸長したときは、袋部に被覆された共布が外側に露出する、換言すれば、第１の弾性部材が露出することがないため、ファッション性が低下するのを防止することができる。
【００１０】
また、請求項２に係るズボンにあっては、第２の弾性部材が、内側ベルト部の内部に被覆される、別言すれば、第２の弾性部材と着用者のウエストが直接接触することがないように構成したので、上記した効果に加え、伸縮構造を取り付けたことによる着用者の履き心地（着用感）の低下を防止することができる。
【００１１】
また、請求項３に係るズボンにあっては、伸縮構造が、前身頃の左右にそれぞれ形成される、即ち、２個形成されるように構成したので、上記した効果に加え、伸縮構造の伸縮量が増加し、よって着用者のウエストサイズが比較的大きく増減した場合であっても対応することができる。
【００１２】
また、請求項４に係るズボンにあっては、第１および第２の弾性部材が、平ゴムであるように構成したので、簡素かつ安価な構成でありながら、上記した効果を得ることができる。
【００１３】
尚、この明細書で「内側」とは、着用されたズボンにおいて着用者に近接する方向あるいは被覆される部分を意味する。また「外側」とは、着用されたズボンにおいて着用者から離間する方向あるいは露出される部分を意味する。
【考案を実施するための最良の形態】
【００１４】
以下、添付図面に即してこの考案に係るズボンを実施するための最良の形態について説明する。
【実施例１】
【００１５】
図１は、この考案の第１実施例に係るズボンの正面図である。
【００１６】
図１において、符号１０はズボン、具体的には、チノクロスから製作されたズボン（パンツ）を示す。ズボン１０は、前身頃１２と、後身頃（図１で見えず）と、前身頃１２と後身頃の上端に接続されるベルト部１４と、前身頃１２に形成される２個のフロントポケット１６とを備える。以下、着用者から見て右側（即ち、図１において左側）のフロントポケットを「右側フロントポケット」と呼び、符合１６Ｒで示す。また、着用者から見て左側（即ち、図１において右側）のフロントポケットを「左側フロントポケット」と呼び、符合１６Ｌで示す。
【００１７】
ベルト部１４は、この考案で特徴的な伸縮構造１８を備える。伸縮構造１８は、図に示す如く、前身頃１２の上端の左右にそれぞれ形成、即ち、２個形成される。伸縮構造１８についても、フロントポケット１６と同様、着用者から見て右側の伸縮構造を「右側伸縮構造」と呼び、符合１８Ｒで、着用者から見て左側の伸縮構造を「左側伸縮構造」と呼び、符合１８Ｌで示す。
【００１８】
図２は、図１に示すベルト部１４付近の外側をズボン１０を展開して表す拡大展開図であり、図３は、図１に示すベルト部１４付近の内側をズボン１０を展開して表す、図２と同様な拡大展開図である。また、図４は、図２および図３のIV−IV線断面を模式的に示す模式図である。尚、図４にあっては、図の下方がズボン１０の外側であり、上方がズボン１０の内側となる。また、図４において、ベルトループなどは、図の簡略化のため省略した。
【００１９】
以下において右側伸縮構造１８Ｒを例に挙げて説明するが、左右の伸縮構造１８Ｌ，１８Ｒは左右対称のため、以下の説明は左側伸縮構造１８Ｌにも妥当する。
【００２０】
ベルト部１４に形成された右側伸縮構造１８Ｒは、図２から図４に示すように、前身頃１２から連続して形成される外側ベルト部２２と、外側ベルト部２２に縫着糸（図４にのみ示す）に２４によって接続される共布２６と、共布２６に縫着糸２８によって接続される第１の平ゴム（第１の弾性部材）３０と、後身頃３２に接続され、共布２６および第１の平ゴム３０を被覆する袋部３４とを備える。このように外側ベルト部２２は、共布２６を介して第１の平ゴム３０に接続される。
【００２１】
第１の平ゴム３０の端部（具体的には、共布２６に接続される端部の反対側の端部）３０ａは、袋部３４の内部、正確には袋部３４の内側の布地３４ａに縫着糸３６によって接続される。
【００２２】
右側伸縮構造１８Ｒは、さらに、前身頃１２から連続して形成されると共に、外側ベルト部２２の内側に配置されつつ袋部３４（正確には、袋部３４の内側の布地３４ａ）に縫着糸４０によって接続される内側ベルト部４２と、内側ベルト部４２に縫着糸４４によって接続される第２の平ゴム（第２の弾性部材）４６とを備える。内側ベルト部４２は、図４によく示す如く、袋状を呈すると共に、第２の平ゴム４６は、その内側ベルト部４２の内部に被覆されるように配置される。また、第２の平ゴム４６の端部（具体的には、内側ベルト部４２に接続される端部の反対側の端部）４６ａは、外側ベルト部２２の内側に縫着糸４８によって接続される。
【００２３】
図５は、図３に示した右側フロントポケット１６Ｒの上部付近を示す部分拡大斜視図である。
【００２４】
図５に示す如く、右側フロントポケット１６Ｒの袋布５２の上端であって、前記した第２の平ゴム４６の端部４６ａ付近には、開口部５４が形成される。開口部５４は、略Ｕ字状を呈すると共に、その一端５４ａが外側ベルト部２２に接続される一方、他端５４ｂは内側ベルト部４２に接続される。
【００２５】
次いで、例えばズボン１０を購入後、ウエストサイズが増加した者によって着用されたときの右側伸縮構造１８Ｒの動作について、図４および図６を参照して説明する。
【００２６】
図６は、右側伸縮構造１８Ｒが伸長された状態を示す、図４と同様なIV−IV線断面模式図である。
【００２７】
ベルト部１４は、ウエストサイズが増加した者がズボン１０を着用すると、図４に示した矢印Ａの方向に引かれる。これにより右側伸縮構造１８Ｒは、図６に示す如く、第１の平ゴム３０と第２の平ゴム４２が伸長させられ、よってベルト部１４の長さ（ウエストライン）が無段階に増加する。このとき、袋部３４に被覆されていた共布２６は、第１の平ゴム３０が伸長されたことによって露出される。尚、共布２６の露出された部位を、図６において符号２６ａで示す。
【００２８】
またこのとき、外側ベルト部２２は、図６において右側に、内側ベルト部４２は、図６において左側に引かれるが、右側フロントポケット１６Ｒに形成された開口部５４（図４，６で示さず）が左右に伸長する、具体的には、開口部５４の一端５４ａと他端５４ａが互いに離間する方向に移動することで、外側ベルト部２２と内側ベルト部４２は左右に移動することが可能となる。
【００２９】
このように、この考案の第１実施例に係るズボン１０にあっては、ベルト部１４の伸縮構造１８が、前身頃１２から連続して形成される外側ベルト部２２と、外側ベルト部２２に共布２６を介して接続される第１の平ゴム３０と、後身頃３２に接続され、共布２６および第１の平ゴム３０を被覆する袋部３４と、前身頃１２から連続して形成される内側ベルト部４２と、内側ベルト部４２に接続される第２の平ゴム４６とを備えると共に、第１の平ゴム３０の端部３０ａを袋部３４の内部、正確には袋部３４の内側の布地３４ａに接続する一方、第２の平ゴム４６の端部４６ａを外側ベルト部２２の内側に接続するように構成したので、着用者のウエストサイズが増減したときは、伸縮構造１８の第１および第２の平ゴム３０，４６を伸縮させることで、ベルト部１４の長さを無段階に調整することができる。
【００３０】
また、伸縮構造１８、正確には、第１の平ゴム３０が伸長したときは、袋部３４に被覆された共布２６が外側に露出する、換言すれば、第１の平ゴム３０が露出することがないため、伸縮構造１８を有するベルト部１４を備えたズボン１０であってもファッション性が低下することがない。
【００３１】
また、第２の平ゴム４６が、内側ベルト部４２の内部に被覆される、別言すれば、第２の平ゴム４６と着用者のウエストが直接接触することがないように構成したので、伸縮構造１８を取り付けたことによる着用者の履き心地（着用感）の低下を防止することができる。
【００３２】
また、伸縮構造１８が、前身頃１２の左右にそれぞれ形成される、即ち、２個形成されるように構成したので、伸縮構造１８の伸縮量が増加し、よって着用者のウエストサイズが比較的大きく増減した場合であっても対応することができる。
【００３３】
また、伸縮構造１８の伸縮する部分に平ゴムを使用するように構成したので、簡素かつ安価な構成とすることができる。
【００３４】
以上の如く、この考案の第１実施例にあっては、前身頃（１２）と後身頃（３２）の上端に接続され、少なくとも伸縮構造（１８Ｒ，１８Ｌ）を有するベルト部（１４）を備えるズボン（１０）において、前記伸縮構造が、前記前身頃から連続して形成される外側ベルト部（２２）と、前記外側ベルト部に共布（２６）を介して接続される第１の弾性部材（第１の平ゴム３０）と、前記後身頃に接続され、前記共布および前記第１の弾性部材を被覆する袋部（３４）と、前記前身頃から連続して形成され、前記外側ベルト部の内側に配置される内側ベルト部（４２）と、前記内側ベルト部に接続される第２の弾性部材（第２の平ゴム４６）とを備えると共に、前記第１の弾性部材の端部（３０ａ）が前記袋部の内部に接続される一方、前記第２の弾性部材の端部（４６ａ）が前記外側ベルト部の内側に接続されるように構成した。
【００３５】
また、前記第２の弾性部材（４６）が、前記内側ベルト部（４２）の内部に被覆されるように構成した。
【００３６】
また、前記伸縮構造（１８）が、前記前身頃（１２）の左右にそれぞれ形成されるように構成した。
【００３７】
また、前記第１および第２の弾性部材（３０，４６）が、平ゴムであるように構成した。
【００３８】
尚、上記において、チノクロスから製作されたズボンを例にとって説明したが、それに限られるものではなく、トラウザーズ（スーツや礼装用の長ズボン）やジーンズパンツなど他のズボンであってもよい。
【図面の簡単な説明】
【００３９】
【図１】図１は、この考案の第１実施例に係るズボンの正面図である。
【図２】図１に示すベルト部付近の外側をズボンを展開して表す拡大展開図である。
【図３】図１に示すベルト部付近の内側をズボンを展開して表す、図２と同様な拡大展開図である。
【図４】図２および図３のIV−IV線断面模式図である。
【図５】図３に示した右側フロントポケットの上部付近を示す部分拡大斜視図である。
【図６】右側伸縮構造が伸長された状態を示す、図４と同様なIV−IV線断面模式図である。
【符号の説明】
【００４０】
１０  ズボン、１２  前身頃、１４  ベルト部、１８Ｒ  右側伸縮構造（伸縮構造）、１８Ｌ  左側伸縮構造（伸縮構造）、２２  外側ベルト部、２６  共布、３０  第１の平ゴム（第１の弾性部材）、３０ａ  （第１の弾性部材の）端部、３２  後身頃、３４  袋部、４２  内側ベルト部、４６  第２の平ゴム（第２の弾性部材）、４６ａ  （第２の弾性部材の）端部
【図１】
0003112835.tif 000003
【図２】
0003112835.tif 000004
【図３】
0003112835.tif 000005
【図４】
0003112835.tif 000006
【図５】
0003112835.tif 000007
【図６】
0003112835.tif 000008